(57)【要約】【課題】運転電流と圧縮機の温度から膨張弁を制御することにより、圧縮機の温度を抑え電装品の温度上昇を未然に防止できる空気調和機を提供すること。【解決手段】圧縮機温度検出手段と、運転電流検出手段と、膨張弁開度変更手段とを有する空気調和機であって、運転電流検出手段で検出された運転電流と圧縮機温度検出手段で検出された圧縮機温度に応じて、膨張弁開度変更手段により所定の膨張弁開度に変更し電装品温度上昇保護運転することにより、圧縮機の温度を低下することができ、圧縮機からの熱輻射を低減することにより、電装品の温度上昇を未然に防ぐことが可能となり電装品の保護を行うことができる。【選択図】図３
2009210229.tif 000002
【特許請求の範囲】
【請求項１】
圧縮機温度検出手段と、運転電流検出手段と、膨張弁開度変更手段とを有する空気調和機であって、前記運転電流検出手段で検出された運転電流と前記圧縮機温度検出手段で検出された圧縮機温度に応じて、前記膨張弁開度変更手段により所定の膨張弁開度に変更し電装品温度上昇保護運転する空気調和機。
【請求項２】
計時手段によって計時される時間が所定の時間以上経過ごとに、前記圧縮機温度検出手段により検出された圧縮機温度が所定の温度以下になるまで、前記膨張弁開度変更手段により膨張弁開度を変更することを特徴とする請求項１に記載の空気調和機。
【発明の詳細な説明】
【技術分野】
【０００１】
本発明は、運転電流と圧縮機の温度により、膨張弁を制御する空気調和機に関するものである。
【背景技術】
【０００２】
従来、この種の空気調和機は室外気温検出手段で検出される室外気温に対応して運転電流検出手段により検出される運転電流の上限を制限することにより電装品の温度上昇を抑えるという制御を行ってきた（例えば、特許文献１参照）。
【０００３】
図５は、特許文献１に記載された従来の空気調和機のブロック図を示すものである。図５に示すように、本体制御部１３と、外気温センサ１８と、圧縮機９とから構成され、更に、本体制御部１３は、運転電流検出手段１２と、中央制御部１５と、圧縮機制御部１９と、テーブル記憶部１６とから構成されている。
【０００４】
運転電流検出手段１２により検出された運転電流と、外気温センサ１８により検出された室外温度が中央制御部１５に送信され、中央制御部１５はこれらの情報とテーブル記憶部１６にあらかじめ記憶された室外温度に関する所定の基準温度と検出された室外温度を比較し、同様に運転電流に関する所定の基準電流と検出された電流を比較した結果、室外温度が基準温度以上でかつ運転電流が基準電流以上である場合に限って、中央制御部１５は、圧縮機制御部１９に圧縮機周波数を下げる信号を送信し、圧縮機９は圧縮機制御部１９の周波数により運転する。これにより、室外気温が基準温度以上のときに運転電流を基準電流以下に制限することにより電装品の温度上昇を抑えるという制御を行ってきた。
【特許文献１】特開２００２−１０６９２４号公報
【発明の開示】
【発明が解決しようとする課題】
【０００５】
しかしながら、前記従来の構成では、室外機の構造は図６に示すような構造を有しており、室外機２は室外熱交換器６（図示せず）と室外ファン１１が収納された送風機室２０と、機械室２１とに仕切板２２で仕切られている。機械室２１には冷媒回路を構成する圧縮機９、四方弁４（図示せず）、膨張弁７（図示せず）等の室外冷媒回路構成部品と室外冷媒回路構成部品の上部には電装品３が備えられている。そのため、前記した従来の制御のように運転電流を制限しても過負荷運転時など圧縮機９の温度が高温の場合には電装品３が圧縮機９の輻射熱の影響を受け、電装品３の許容温度を超えてしまい破壊する危険性があるという課題を有していた。
【０００６】
また、最近では室外機２をベランダ等の狭い場所に設置する機会が増えており、室外機２の設置スペースの確保が難しくなってきている為、コンパクトな室外機の要求が多くなってきている。そのため、コンパクト室外機の高さ方向のコンパクト化を図るために圧縮機９と電装品３との距離（矢印Ａ参照）が縮まり、圧縮機９の熱輻射の影響を大きく受けやすくなるという課題を有していた。
【０００７】
本発明は、前記従来の課題を解決するもので、圧縮機の温度を抑えることにより電装品の温度上昇を未然に防止できる空気調和機を提供することを目的とする。
【課題を解決するための手段】
【０００８】
前記従来の課題を解決するために、本発明の空気調和機は、圧縮機温度検出手段と、運転電流検出手段と、膨張弁開度変更手段とを有する空気調和機であって、前記運転電流検
出手段で検出された運転電流と前記圧縮機温度検出手段で検出された圧縮機温度に応じて、前記膨張弁開度変更手段により所定の膨張弁開度に変更し電装品温度上昇保護運転するものである。
【０００９】
これによって、圧縮機の温度を低下することができ、圧縮機からの熱輻射を低減することにより、電装品の温度上昇を未然に防ぐことが可能となり電装品の保護を行うことができる。
【発明の効果】
【００１０】
本発明の空気調和機は、圧縮機からの熱輻射を低減することにより、電装品の温度上昇を未然に防止できるためユーザーに信頼性が高く、不具合が少ない空気調和機を提供することができる。
【発明を実施するための最良の形態】
【００１１】
第１の発明は圧縮機温度検出手段と、運転電流検出手段と、膨張弁開度変更手段とを有する空気調和機であって、前記運転電流検出手段で検出された運転電流と前記圧縮機温度検出手段で検出された圧縮機温度に応じて、前記膨張弁開度変更手段により所定の膨張弁開度に変更し電装品温度上昇保護運転することにより、圧縮機の温度を低下することができ、圧縮機からの熱輻射を低減することにより電装品の温度上昇を未然に防ぐことが可能となり電装品の保護を行うことができる。
【００１２】
第２の発明は、特に、第１の発明の空気調和機を、計時手段によって計時される時間が所定の時間以上経過ごとに、前記圧縮機温度検出手段により検出された圧縮機温度が所定の温度以下になるまで、前記膨張弁開度変更手段により膨張弁開度を変更することにより、負荷に応じてより適切な制御を行うで信頼性の高い電装品の保護を行うことができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における空気調和機の冷凍サイクル図を示すものである。
【００１５】
図１において、空気調和機は、概略、空調すべき空間に配置されている室内機１と、屋外に配置された室外機２と、熱媒体の循環路とを有している。室内機１は、室内熱交換器４と、風量調整可能な室内ファン５を有し、室外機２は、室外熱交換器６、熱媒体の圧力を変化させる膨張弁７、冷房運転と暖房運転とで熱媒体の流れを切り替える四方弁８、熱媒体を圧縮する圧縮機９と圧縮機温度検出手段である圧縮機センサ１０、風量調整可能な室外ファン１１を有している。
【００１６】
さらに、室外機２は、圧縮機センサ１０が検出した圧縮機温度と運転電流検出手段１２で検出された運転電流の情報とをもとに空気調和機を制御する本体制御部１３とを有する。
【００１７】
図２は、本発明の第１の実施の形態における空気調和機の制御回路を示すブロック図である。
【００１８】
図２において、本体制御部１３では、運転電流検出手段１２で検出された運転電流（Ａ）と圧縮機センサ１０で検出された圧縮機温度（ＣｏｍｐＴ）と計時手段であるタイマ１４にて計時した情報が中央制御部１５へ送信され、中央制御部１５はこれらの情報と、テ
ーブル記憶部１６にあらかじめ記憶された膨張弁開度（Ｅｖｐｌｓ）の情報とに基づき、膨張弁開度変更手段１７により膨張弁７の開度を変更するように構成されている。
【００１９】
図３は、本発明の第１の実施の形態における空気調和機の制御フローチャートである。
【００２０】
図３のフローチャートを参照しながら、運転開始時において中央制御部１５が入力情報とテーブル記憶部１６に記憶された情報とをもとに、膨張弁開度（Ｅｖｐｌｓ）を制御する手順について説明する。
【００２１】
空気調和機が運転されると運転開始信号が中央制御部１５へ送信される（ステップＳ１）。中央制御部１５は運転開始信号の入力を検出すると、運転制御部（図示せず）を介して圧縮機９、室外ファン１１、四方弁８等を駆動して空調運転を開始する。運転開始信号が中央制御部１５へ送信され、この情報を受信した中央制御部１５は、運転電流検出手段１２により運転電流（Ａ）を検出する（ステップＳ２）。
【００２２】
ステップＳ３で、中央制御部１５はステップＳ２にて検出された運転電流（Ａ）をテーブル記憶部１６にあらかじめ記憶しておいた所定の基準電流（Ａ１）の情報と比較し、基準電流（Ａ１）以上であればステップＳ４へ進み、基準電流（Ａ１）以下であればステップＳ２に戻る。
【００２３】
ステップＳ４で、中央制御部１５は圧縮機センサ１０によって圧縮機温度（ＣｏｍｐＴ）を検出し、ステップＳ５で、テーブル記憶部１６にあらかじめ記憶しておいた電装品温度上昇保護のための設定値（ＣｏｍｐＴ１）の情報と比較し、設定値（ＣｏｍｐＴ１）を上回ったら電装品温度上昇保護の必要性ありと判断し、ステップ６へ進んで、膨張弁開度変更手段１７により、テーブル記憶部１６にあらかじめ記憶しておいた所定値だけ膨張弁開度を開ける信号を送信し、ステップＳ７で電装品保護制御ループが終了する。
【００２４】
以上のように、ステップ１〜ステップ７の制御フローでは、電装品温度上昇保護運転を行う。例えば、予めマイコンメモリーに規定値として所定の基準電流（Ａ１）１３．０Ａ以上、且つ電装品温度上昇保護のための設定値（ＣｏｍｐＴ１）が１００℃以上の時は、膨張弁開度を３０パルス開けることで、圧縮機の温度を低下することができ、圧縮機からの熱輻射を低減することにより、電装品３の温度上昇を未然に防ぐことが可能となり電装品３の保護を行うことができる。
【００２５】
（実施の形態２）
図４は、本発明の第２の実施の形態における空気調和機の制御フローチャートである。
【００２６】
図４のフローチャートを用いて実施の形態２の制御について説明する。なお、図４におけるステップＳ１１からＳ１４までは、上記実施の形態１のステップＳ１からＳ４までと同様の動作をするため説明を省略する。
【００２７】
ステップＳ１４で、中央制御部１５は圧縮機温度センサによって圧縮機温度（ＣｏｍｐＴ）を検出し、ステップＳ１５で、テーブル記憶部１６にあらかじめ記憶しておいた電装品温度上昇保護のための設定値（ＣｏｍｐＴ１）の情報と比較し、設定値（ＣｏｍｐＴ１）を以上であれば電装品温度上昇保護の必要性ありと判断し、ステップ１６へ進む。
【００２８】
ステップＳ１６で、膨張弁開度変更手段１７により、テーブル記憶部１６にあらかじめ記憶しておいた所定値だけ膨張弁開度を開ける信号を送信し、ステップ１７で中央制御部１５はタイマ１４で計時した時間（ｔ１）があらかじめ記憶しておいた時間（ｔｓ）に関する所定の基準時間（ｔｓ、例えば５分）と検出された時間（ｔ１）を比較し、時間（ｔ
１）が基準時間（ｔｓ、例えば５分）以上の経過した場合はステップＳ１８へ進んで、再度圧縮機温度センサ１０によって圧縮機温度（ＣｏｍｐＴ）を検出し、ステップＳ１９で電装品温度上昇保護のための設定値（ＣｏｍｐＴ１）以下であればステップＳ２０で電装品保護制御ループが終了する。ステップＳ１９で電装品温度上昇保護のための設定値（ＣｏｍｐＴ１）以上であればステップＳ１６〜ステップＳ１９の処理を繰返し行う。
【００２９】
以上のように繰返し圧縮機９の温度を検知することにより、負荷に応じてより適切な制御を行うで信頼性の高い電装品の保護を行うことができる。
【産業上の利用可能性】
【００３０】
以上のように、本発明にかかる空気調和機は、圧縮機からの熱輻射を低減することにより、電装品の温度上昇を未然に防止できるためユーザーに信頼性が高く、不具合が少ない空気調和機の提供が可能となるので、空気調和機の他に除湿機、冷凍機器、ヒーポン給湯器等の用途にも適用できる。
【図面の簡単な説明】
【００３１】
【図１】本発明の実施の形態１における空気調和機の冷凍サイクル図
【図２】本発明の実施の形態１における空気調和機の制御回路を示すブロック図
【図３】本発明の実施の形態１における空気調和機の制御フローチャート
【図４】本発明の実施の形態２における空気調和機の制御フローチャート
【図５】従来の空気調和機のブロック図
【図６】従来の空気調和機の室外機の一部破断正面図
【符号の説明】
【００３２】
１  室内機
２  室外機
３  電装品
４  室内熱交換器
５  室内ファン
６  室外熱交換器
７  膨張弁
８  四方弁
９  圧縮機
１０  圧縮機温度センサ
１１  室外ファン
１２  運転電流検出手段
１３  本体制御部
１４  タイマ
１５  中央制御部
１６  テーブル記憶部
１７  膨張弁開度変更手段
１８  外気温センサ
１９  圧縮機制御部
２０  送風機室
２１  機械室
２２  仕切板
【図１】
2009210229.tif 000003
【図２】
2009210229.tif 000004
【図３】
2009210229.tif 000005
【図４】
2009210229.tif 000006
【図５】
2009210229.tif 000007
【図６】
2009210229.tif 000008